【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
発光装置を発光させた撮影が可能な撮像装置であって、
被写体を撮像して画像データを出力する撮像手段と、
前記発光装置で発光を行うためのエネルギーを蓄積するコンデンサの充電制御を行う充電制御手段と、を有し、
前記充電制御手段は、画像合成処理に用いる複数の画像データを取得するための複数回の撮影の中で前記発光装置を発光させた撮影が行われる場合、前記画像合成処理に用いる複数の画像データを取得するための複数回の撮影の最後の撮影が終了されるまで前記コンデンサの充電が行われないように前記充電制御を行うことを特徴とする撮像装置。
【請求項２】
前記充電制御手段は、前記画像合成処理に用いる複数の画像データを取得するための複数回の撮影が行われないときは前記発光装置を発光させた撮影が終了されると前記コンデンサの充電が行われるように前記充電制御を行い、前記画像合成処理に用いる複数の画像データを取得するための複数回の撮影が行われるときは前記発光装置を発光させた撮影が終了されても前記画像合成処理に用いる複数の画像データを取得するための複数回の撮影の最後の撮影が終了されるまで前記コンデンサの充電が行われないように前記充電制御を行う  ことを特徴とする請求項１に記載の撮像装置。
【請求項３】
前記充電制御手段は、前記画像合成処理に用いる複数の画像データを取得するための複数回の撮影が行われないときは前記コンデンサの充電電圧が所定値未満になると前記コンデンサの充電が行われるように前記充電制御を行い、前記画像合成処理に用いる複数の画像データを取得するための複数回の撮影が行われるときは前記コンデンサの充電電圧が前記所定値未満になっても前記画像合成処理に用いる複数の画像データを取得するための複数回の撮影の最後の撮影が終了されるまで前記コンデンサの充電が行われないように前記充電制御を行うことを特徴とする請求項１に記載の撮像装置。
【請求項４】
前記充電制御手段は、前記画像合成処理に用いる複数の画像データを取得するための複数回の撮影が行われないときは前記発光装置を発光させた撮影が終了されてから第１の時間が経過する前に前記コンデンサの充電が行われるように前記充電制御を行い、前記画像合成処理に用いる複数の画像データを取得するための複数回の撮影が行われるときは前記発光装置を発光させた撮影が終了されてから前記第１の時間が経過しても前記画像合成処理に用いる複数の画像データを取得するための複数回の撮影の最後の撮影が終了されるまで前記コンデンサの充電が行われないように前記充電制御を行うことを特徴とする請求項１に記載の撮像装置。
【請求項５】
前記充電制御手段は、前記画像合成処理に用いない複数の画像データを取得するための連続した複数回の撮影の中で前記発光装置を発光させた撮影が行われる場合、前記発光装置を発光させた撮影が終了されてから前記複数回の撮影の中の次の撮影が開始されるまでに前記コンデンサの充電が行われるように前記充電制御を行うことを特徴とする請求項１ないし４のいずれか１項に記載の撮像装置。
【請求項６】
前記充電制御手段は、前記画像合成処理に用いない複数の画像データを取得するための連続した複数回の撮影の中で前記発光装置を発光させた撮影が行われる場合、前記発光装置を発光させた撮影が行われて前記コンデンサの充電電圧が所定値未満になると前記複数回の撮影の中の次の撮影が開始されるまでに前記コンデンサの充電が行われるように前記充電制御を行う請求項１ないし５のいずれか１項に記載の撮像装置。
【請求項７】
連続して複数回の撮影が行われ前記撮像手段から出力される複数の画像データに基づいて画像合成処理を行う画像合成手段を有することを特徴とする請求項１ないし６のいずれか１項に記載の撮像装置。
【請求項８】
前記充電制御手段は、前記画像合成処理に用いる複数の画像データを取得するための複数回の撮影の中で前記発光装置を発光させた撮影が行われる場合、前記画像合成手段による画像合成処理が行われているときに前記コンデンサの充電が行われるように前記充電制御を行うことを特徴とする請求項１ないし７のいずれか１項に記載の撮像装置。
【請求項９】
前記画像合成処理に用いる複数の画像データを取得するための複数回の撮影は、前記発光装置を発光させた撮影と前記発光装置を発光させない撮影とを含み、
前記画像合成処理に用いる複数の画像データを取得するための複数回の撮影では、前記発光装置を発光させた撮影の後に前記発光装置を発光させない撮影を少なくとも１回行うことを特徴とする請求項１ないし８のいずれか１項に記載の撮像装置。
【請求項１０】
前記画像合成処理に用いる複数の画像データを取得するための複数回の撮影の最初の撮影は、前記発光装置を発光させた撮影を行うことを特徴とする請求項９に記載の撮像装置。
【請求項１１】
前記撮像手段から出力された複数の画像データを一時的に格納する格納手段を有し、
前記画像合成手段は、前記格納手段に格納された複数の画像データに基づいて前記画像合成処理を行うことを特徴とする請求項７に記載の撮像装置。
【請求項１２】
発光装置を発光させた撮影が可能な撮像装置であって、
被写体像を結像して光電変換する撮像素子と、
前記発光装置で発光を行うためのエネルギーを蓄積するコンデンサの充電制御を行う充電制御手段と、を有し、
前記充電制御手段は、画像合成処理に用いる複数の画像データを取得するための複数回の撮影の中で前記発光装置を発光させた撮影が行われる場合、前記画像合成処理に用いる複数の画像データを取得するための最後の撮像素子からの電気信号の読み出しが終了されるまで、前記コンデンサの充電が行われないように前記充電制御を行うことを特徴とする撮像装置。
【請求項１３】
前記充電制御手段は、前記画像合成処理に用いる複数の画像データを取得するための複数回の撮影が行われないときは前記発光装置を発光させた撮影における前記撮像素子からの電気信号の読み出しが終了されると前記コンデンサの充電が行われるように前記充電制御を行い、前記画像合成処理に用いる複数の画像データを取得するための複数回の撮影が行われるときは前記発光装置を発光させた撮影における前記撮像素子からの電気信号の読み出しが終了されても前記画像合成処理に用いる複数の画像データを取得するための複数回の撮影の最後の撮影における前記撮像素子からの電気信号の読み出しが終了されるまで前記コンデンサの充電が行われないように前記充電制御を行うことを特徴とする請求項１２に記載の撮像装置。
【請求項１４】
前記充電制御手段は、前記画像合成処理に用いる複数の画像データを取得するための複数回の撮影が行われないときは前記コンデンサの充電電圧が所定値未満になると前記コンデンサの充電が行われるように前記充電制御を行い、前記画像合成処理に用いる複数の画像データを取得するための複数回の撮影が行われるときは前記コンデンサの充電電圧が前記所定値未満になっても前記画像合成処理に用いる複数の画像データを取得するための複数回の撮影の最後の撮影における前記撮像素子からの電気信号の読み出しが終了されるまで前記コンデンサの充電が行われないように前記充電制御を行うことを特徴とする請求項１２に記載の撮像装置。
【請求項１５】
前記充電制御手段は、前記画像合成処理に用いる複数の画像データを取得するための複数回の撮影が行われないときは前記発光装置を発光させた撮影における前記撮像素子からの電気信号の読み出しが終了されてから第１の時間が経過する前に前記コンデンサの充電が行われるように前記充電制御を行い、前記画像合成処理に用いる複数の画像データを取得するための複数回の撮影が行われるときは前記発光装置を発光させた撮影における前記撮像素子からの電気信号の読み出しが終了されてから前記第１の時間が経過しても前記画像合成処理に用いる複数の画像データを取得するための複数回の撮影の最後の撮影における前記撮像素子からの電気信号の読み出しが終了されるまで前記コンデンサの充電が行われないように前記充電制御を行うことを特徴とする請求項１２に記載の撮像装置。
【請求項１６】
前記充電制御手段は、前記画像合成処理に用いない複数の画像データを取得するための連続した複数回の撮影の中で前記発光装置を発光させた撮影が行われる場合、前記発光装置を発光させた撮影における前記撮像素子からの電気信号の読み出しが終了されてから前記複数回の撮影の中の次の撮影が開始されるまでに前記コンデンサの充電が行われるように前記充電制御を行うことを特徴とする請求項１２ないし１５のいずれか１項に記載の撮像装置。
【請求項１７】
前記充電制御手段は、前記画像合成処理に用いない複数の画像データを取得するための連続した複数回の撮影の中で前記発光装置を発光させた撮影が行われる場合、前記発光装置を発光させた撮影における前記撮像素子からの電気信号の読み出しが行われて前記コンデンサの充電電圧が所定値未満になると前記複数回の撮影の中の次の撮影が開始されるまでに前記コンデンサの充電が行われるように前記充電制御を行う請求項１２ないし１６のいずれか１項に記載の撮像装置。
【請求項１８】
連続して複数回の撮影が行われ前記撮像手段から出力される複数の画像データに基づいて画像合成処理を行う画像合成手段を有することを特徴とする請求項１２ないし１７のいずれか１項に記載の撮像装置。
【請求項１９】
前記充電制御手段は、前記画像合成処理に用いる複数の画像データを取得するための複数回の撮影の中で前記発光装置を発光させた撮影が行われる場合、前記画像合成手段による画像合成処理が行われているときに前記コンデンサの充電が行われるように前記充電制御を行うことを特徴とする請求項１２ないし１８のいずれか１項に記載の撮像装置。
【請求項２０】
前記画像合成処理に用いる複数の画像データを取得するための複数回の撮影は、前記発光装置を発光させた撮影と前記発光装置を発光させない撮影とを含み、
前記画像合成処理に用いる複数の画像データを取得するための複数回の撮影では、前記発光装置を発光させた撮影の後に前記発光装置を発光させない撮影を少なくとも１回行うことを特徴とする請求項１２ないし１９のいずれか１項に記載の撮像装置。
【請求項２１】
前記画像合成処理に用いる複数の画像データを取得するための複数回の撮影の最初の撮影は、前記発光装置を発光させた撮影を行うことを特徴とする請求項１２に記載の撮像装置。
【請求項２２】
前記撮像手段から出力された複数の画像データを一時的に格納する格納手段を有し、
前記画像合成手段は、前記格納手段に格納された複数の画像データに基づいて前記画像合成処理を行うことを特徴とする請求項１８に記載の撮像装置。
【請求項２３】
撮像装置と発光装置を有するカメラシステムであって、
被写体を撮像して画像データを出力する撮像手段と、
発光手段と、
前記発光手段を発光させるためのエネルギーを蓄積するコンデンサと、
前記コンデンサの充電制御を行う充電制御手段と、を有し、
前記充電制御手段は、連続して複数回の撮影が行われて前記撮像手段から画像合成処理に用いる複数の画像データが出力される場合、前記複数回の撮影の中で前記発光装置を発光させた撮影が行われた場合、前記複数回の撮影の最後の撮影が終了されるまで前記コンデンサの充電が行われないように前記充電制御を行うことを特徴とするカメラシステム。
【請求項２４】
撮像装置と発光装置を有するカメラシステムであって、
被写体像を結像して光電変換する撮像素子と、
発光手段と、
前記発光手段を発光させるためのエネルギーを蓄積するコンデンサと、
前記コンデンサの充電制御を行う充電制御手段と、を有し、
前記充電制御手段は、画像合成処理に用いる複数の画像データを取得するための複数回の撮影の中で前記発光装置を発光させた撮影が行われる場合、前記画像合成処理に用いる複数の画像データを取得するための最後の撮像素子からの電気信号の読み出しが終了されるまで、前記コンデンサの充電が行われないように前記充電制御を行うことを特徴とするカメラシステム。
【手続補正２】
【補正対象書類名】明細書
【補正対象項目名】０００９
【補正方法】変更
【補正の内容】
【０００９】
上記目的を達成するために、本発明に係る撮像装置は、発光装置を発光させた撮影が可能な撮像装置であって、被写体を撮像して画像データを出力する撮像手段と、前記発光装置で発光を行うためのエネルギーを蓄積するコンデンサの充電制御を行う充電制御手段と、を有し、前記充電制御手段は、画像合成処理に用いる複数の画像データを取得するための複数回の撮影の中で前記発光装置を発光させた撮影が行われる場合、前記画像合成処理に用いる複数の画像データを取得するための複数回の撮影の最後の撮影が終了されるまで前記コンデンサの充電が行われないように前記充電制御を行うことを特徴とする。
【手続補正３】
【補正対象書類名】明細書
【補正対象項目名】００１０
【補正方法】変更
【補正の内容】
【００１０】
また、上記目的を達成するために、本発明に係るカメラシステムは、撮像装置と発光装置を有するカメラシステムであって、被写体を撮像して画像データを出力する撮像手段と、発光手段と、前記発光手段を発光させるためのエネルギーを蓄積するコンデンサと、前記コンデンサの充電制御を行う充電制御手段と、を有し、前記充電制御手段は、画像合成処理に用いる複数の画像データを取得するための複数回の撮影の中で前記発光装置を発光させた撮影が行われる場合、前記画像合成処理に用いる複数の画像データを取得するための複数回の撮影の最後の撮影が終了されるまで前記コンデンサの充電が行われないように前記充電制御を行うことを特徴とする。